(57)【要約】【課題】合法的に犯罪現場に残された無数の手袋圧痕を、犯人が残したものと区別することが可能な使い捨て手袋を提供する。【解決手段】手袋は犯罪現場での科学的犯罪捜査のために利用され、ユニット形態の使い捨て手袋であり、その外面には機械読取可能な複数の表示紋を有しており、表示紋は、手袋の少なくとも手掌部と指先内側部とにそのような表示紋を備えた手袋を、そのような表示紋を備えていない手袋と識別させる。手袋は犯罪現場の捜査で利用性があり、犯罪捜査官によって着用され、手を触れられた物品は機械読取処理され、犯罪捜査官が残した手袋の圧痕が識別される。【選択図】図１
2014058772.tif 000002
【特許請求の範囲】
【請求項１】
犯罪現場での科学的犯罪捜査のための手袋の利用であって、
前記手袋はユニット形態の使い捨て手袋であり、
前記手袋の外面には機械読取可能な複数の表示紋を有しており、
前記表示紋は、前記手袋の少なくとも手掌部と指先内側部とに前記表示紋を備えた手袋と、前記表示紋を備えていない手袋とを識別させるものであり、
オプションで、前記手袋の外面と、前記表示紋とは、油性材料の薄膜でコーティングされていることを特徴とする、
犯罪現場での科学的犯罪捜査のための手袋の利用。
【請求項２】
前記油性材料は肉眼には不可視であり、及び／又はＤＮＡを含まないことを特徴とする、
請求項１記載の犯罪現場での科学的犯罪捜査のための手袋の利用。
【請求項３】
前記手袋の外面は、前記手袋と一体化した複数の突起部を有しており、
前記突起部は、前記手袋の少なくとも手掌部と指先内側部とを覆っており、
前記突起部は全て、少なくとも３本の直線辺部を有した実質的に同一形状の機械読取可能な幾何形状部であることを特徴とする、
請求項１または２記載の犯罪現場での科学的犯罪捜査のための手袋の利用。
【請求項４】
前記幾何形状部は全て同一サイズおよび同一形状であることを特徴とする、
請求項３記載の犯罪現場での科学的犯罪捜査のための手袋の利用。
【請求項５】
前記幾何形状部は、互いに間隔を開けて配置されるが、前記間隔は、そこに別の幾何形状部を配置させるほど広くはないことを特徴とする、
請求項３または４記載の犯罪現場での科学的犯罪捜査のための手袋の利用。
【請求項６】
前記幾何形状部は、前記手袋の少なくとも手掌部と指先内側部とに所定の間隔をもって配置されるか、または所定のパターンで配置されていることを特徴とする、
請求項３から５のいずれか１項に記載の犯罪現場での科学的犯罪捜査のための手袋の利用。
【請求項７】
前記幾何形状部は、多角形であることを特徴とする、
請求項３から６のいずれか１項に記載の犯罪現場での科学的犯罪捜査のための手袋の利用。
【請求項８】
前記多角形は、回転対称軸、及び／又は、複数の鏡映対称線を有していることを特徴とする、
請求項７記載の犯罪現場での科学的犯罪捜査のための手袋の利用。
【請求項９】
前記幾何形状部は、少なくとも１つの内鈍角を有していることを特徴とする、
請求項３から８のいずれか１項に記載の犯罪現場での科学的犯罪捜査のための手袋の利用。
【請求項１０】
前記幾何形状部は、それぞれ少なくとも５本の直線辺部を有していることを特徴とする、
請求項３から９のいずれか１項に記載の犯罪現場での科学的犯罪捜査のための手袋の利
用。
【請求項１１】
前記手袋は、浸漬ゴム製であることを特徴とする、
請求項１から１０のいずれか１項に記載の犯罪現場での科学的犯罪捜査のための手袋の利用。
【請求項１２】
前記手袋は、全てが同一の機械読取可能な表示紋を有した手袋の同一バッチからのものであることを特徴とする、
請求項１から１１のいずれか１項に記載の犯罪現場での科学的犯罪捜査のための手袋の利用。
【請求項１３】
請求項３から１１のいずれか１項において定義された手袋の製造方法であって、
前記手袋は油性材料層を有しており、当該製造方法は、
（ａ）複数の窪部を有した手型成型体にポリマー材料を注入するステップであって、前記それぞれの窪部は前記手袋の突起部と相補形状的な幾何形状部であり、前記複数の窪部は手型成型体の少なくとも手掌部と指先内側部とを覆っている、ステップと、
（ｂ）前記ポリマー材料を硬化させるステップと、
（ｃ）前記手型成型体から手袋を取り出すステップと、
（ｄ）前記突起部に油性材料を塗布するステップと、
を含んでいることを特徴とする、
手袋の製造方法。
【請求項１４】
犯罪現場の捜査方法であって、
犯罪現場捜査官は、犯罪現場で、請求項１から１１のいずれか１項に定義された手袋を着用して物品を取り扱い、
前記取り扱われた物品は機械読取され、犯罪現場捜査官が着用する手袋の圧痕を識別することを特徴とする、
犯罪現場の捜査方法。
【請求項１５】
犯罪現場で使用する手袋は、請求項１２で定義されたバッチから選択されることを特徴とする、
請求項１４記載の犯罪現場の捜査方法。
【請求項１６】
犯罪現場の捜査方法であって、当該方法は、
（ａ）外面に機械読取可能な表示紋を有したユニット単位の使い捨て手袋を含んだ手袋を供給し、前記表示紋は、前記表示紋を備えた手袋を、前記表示紋を備えていない手袋と識別させるものであり、前記表示紋は前記手袋の少なくとも手掌部と指先内側部とに提供されており、
（ｂ）犯罪現場捜査官は前記手袋を着用して、犯罪現場で物品を取扱い、
（ｃ）前記（ｂ）で使用される犯罪現場捜査員の手袋の圧痕を識別するために、前記物品を犯罪現場で検査し、
（ｄ）前記（ｃ）で識別された前記犯罪現場捜査官の手袋の圧痕を排除する、
ことを含んでいることを特徴とする、
犯罪現場の捜査方法。
【請求項１７】
前記手袋の外面と前記表示紋とは、油性材料の薄膜でコーティングされていることを特徴とする、
請求項１６記載の犯罪現場の捜査方法。
【請求項１８】
前記油性材料は、肉眼には不可視であることを特徴とする、
請求項１７記載の犯罪現場の捜査方法。
【請求項１９】
前記油性材料は、ＤＮＡを含んでいないことを特徴とする、
請求項１７記載の犯罪現場の捜査方法。
【請求項２０】
前記手袋は、請求項３から１１のいずれか１項で定義されたものであることを特徴とする、
請求項１６から１９のいずれかに記載の犯罪現場の捜査方法。
【発明の詳細な説明】
【技術分野】
【０００１】
本発明は、科学的犯罪捜査関係者および犯罪現場捜査員が使用する手袋に関し、そのような手袋の使用方法、製造方法および利用に関する。
【背景技術】
【０００２】
容疑者の特定に必要な犯罪現場で使用される標準技術が存在する。例えば、捜査官は様々な試薬、粉末および化学剤を使用して、犯罪現場で人物による物理的な接触によって残された痕跡を明らかにし、強調する。このような技術は一般的に指紋識別技術（フィンガープリンティング）と呼ばれる。
【０００３】
フィンガープリンティングの出現以来、家宅侵入窃盗犯および他の罪人は、犯罪現場での指紋の発見および特定を回避する試みとして手袋をはめるようになった。そのような手袋は、皮製、布製、ＰＶＣのようなプラスチック製、またはゴムラテックスのようなエラストマー製である。
【０００４】
すべての物理的接触は痕跡を残す（ロカルドの法則によれば、ＡがＢと接触すると、Ｂの痕跡はＡに残留し、Ａの痕跡はＢに残留する）。すべての手袋は圧痕を残すが、新規なラテックス製手袋の圧痕は、指紋の場合と比較して非常に検出し難く、容易に消失する。これは、犯罪現場捜査（ＣＳＩ）技術が主として指紋の検出に重点が置かれているためである。なぜなら、使用される試薬は指紋の脂質に最良に接着するからである。ラテックス手袋によって現場に残された痕跡の検出は、手袋の表面が使用を通じて汚染されていればさらに容易となる。
【０００５】
近年、表面に手袋の痕跡を残す人物を大幅に容易に特定させる技術が開発された。製造工程の不特定要素およびその後の摩耗や綻びが、たとえ関与する手袋が同時的に同一機械で製造されたものであっても識別させる差異を発生させることが示されている。
【０００６】
しばしば肉眼には見えないこれらの相違は、手袋が硬質な表面に押し付けられると、それぞれの手袋はその手袋独自の特徴に基づく認知可能な手袋圧痕を残すであろう。
【０００７】
手袋圧痕は特定の手袋が犯罪に使用されたことの証明に利用が可能である。もしその手袋自体が被疑者から回収され、その手袋紋が犯罪現場から採取された手袋圧痕と一致すれば、それは刑事訴追で利用できる貴重な証拠になるであろう。
【０００８】
科学的犯罪捜査官によって収集された何千ものそのような手袋圧痕のデータベースが突き合わされて、１つの犯罪現場からの手袋圧痕を別の類似犯罪現場で発見された手袋圧痕と照合させ、あるいは被疑者から回収された手袋と照合させる。例えば、「犯罪者を捕らえるために警察は手袋圧痕を使用」。http://www.telegraph.co.uk/news/uknews/law-and-order/3740688/Police-use-glove-prints-to-catch-criminals.html（２００８年１２月１３日発行の電信誌参照）。
【発明の概要】
【発明が解決しようとする課題】
【０００９】
しかし、犯罪現場での手袋圧痕の採取に関わる大きな問題点は、捜査官（および他の犯罪現場担当官）が、自分自身の指紋を犯罪現場に残さないように手袋（一般的には薄い天然ゴムラテックス製またはニトリルゴム製の手袋）を着用することが必須であることから発生する。したがって、合法的に犯罪現場に残された無数の手袋圧痕を、犯人が残したものと区別することは困難あるいは不可能である。
【００１０】
したがって、本発明者は、このような問題を軽減できる天然ゴムラテックス製またはニトリルゴム製の使い捨て手袋を発明した。また、そのような手袋の製造方法および犯罪現場でのそのような手袋の使用方法を発明した。
【課題を解決するための手段】
【００１１】
本発明の１形態によれば、犯罪現場での科学的犯罪捜査に使用する手袋が提供される。このユニット単位の使い捨て手袋は機械読取可能な表示紋を表面に有しており、そのような表示紋を備えた手袋を、そのような表示紋を備えていない手袋と識別させるものである。このような表示紋は、手袋の指先の少なくとも手掌部（手の平）と指先内側とに提供される。手袋の外面と機械読取可能な表示紋はオプションで油性材料（またはグリース）の薄膜によってコーティング可能である。
【図面の簡単な説明】
【００１２】
本発明の実施例を、例示を目的としてのみ、添付の図面を利用して説明する。
【００１３】
【図１】（ａ）は、本発明にしたがって使用する手袋の平面図であり、手袋は、幾何形状部のごとき機械読取可能な表示紋とグリース層とによって全体的に覆われた灰色領域を有する。（ｂ）は、本発明にしたがって使用する手袋の平面図であり、指先内側部１と２（親指）および手掌部３が機械読取可能な表示紋とグリース層とによって覆われた灰色領域を有する。
【図２】本発明にしたがって使用される好適実施例の手袋の少なくとも指先内側部と手掌部とを覆う幾何形状部（この場合には八頂点星形）の典型的な配列を図示する。
【発明を実施するための形態】
【００１４】
本発明の方法で使用される成型体は、本発明による手袋の突起部に対応する相補形状の窪部を有する。そのような手袋は図１（ａ）と（ｂ）とに図示されている。
【００１５】
典型的には、手袋は、ゴム材料あるいはビニル材料のようなポリマー材料製であり、一般的に、微小孔や縫い目等がなく、引き伸ばし可能に硬化された浸漬品による物品の形態である。
【００１６】
手袋のグリップ力を高めるため、美的感覚に訴えるため、あるいは手袋の特質に関する情報を提供するために、手袋の表面に表示を有した他の目的の手袋も公知である。しかし、犯罪現場等で使用される公認された科学的犯罪捜査用の手袋を特定する目的の表示紋あるいは機械読取可能な他の表示を使用することをこれまでに提案したものは存在しなかった。
【００１７】
オプションの油性材料層は、グリースや、指先および手の平に自然に存在する皮脂流体に類似した粘度と厚みを有するように設計される。このような油性材料は着用者には気付かれず、手袋のグリップに影響を及ぼさないので、ほぼ自然な手の感触が保たれる。手袋の科学的犯罪捜査利用のため、油性材料は、好適にはＤＮＡを含まないもの、及び／又は肉眼には見えないものである。好適な油性材料には、石油（典型的にはグリースやジェル形態）あるいは粘性シリコーン材料が含まれる。
【００１８】
機械判読可能な表示紋は表示材料（検出可能な薬品あるいはオプションで蛍光物質や燐光物質などの検出可能な発光団）及び／又は本発明にしたがって使用するために手袋の外面に提供された検出可能な形成物の配列を含むことができる。機械読取可能であることに加えて、表示紋は一般的に肉眼で容易に判読が可能である。
【００１９】
このような検出可能な形成物は、手袋と一体化した複数の突起部を含むことができる。突起部は少なくとも手掌部と指先内側部を覆っており、突起部は全て、少なくとも３本の直線辺部を有した実質的に同一形状の機械読取可能な幾何形状部を有している。
【００２０】
このような機械読取可能な幾何形状部は一般的に全て実質的に同一サイズで同一形状である。したがって、幾何形状部は三次元表示紋（すなわち特定可能に形状化された特徴を有する紋）を形成し、その表示紋を備えた手袋を着用する人物によって残された圧痕は、機械読取装置（例えば、光学読取装置等）または肉眼によって、そのような表示紋を備えない手袋を着用する人物によって残された圧痕と識別が可能である。
【００２１】
表示紋を形成する幾何形状部は好適には相互に間隔を開けて配置され（すなわち、非接触あるいは非連続的に配置され）るが、好適にはその間隔はそこに別の幾何形状部を配置させるほど広くはない。
【００２２】
幾何形状部は手掌部と指先内側部とに所定の間隔で均等に配置される。あるいは、それらは手掌部と指先内側部とに所定のパターンで配置される。
【００２３】
好適な機械読取可能な表示紋を形成する幾何形状部は、手袋の外面と一体的に形成され、表面に後付けもコーティングもされない。
【００２４】
本発明により手袋に提供される幾何形状部は、好適には多角形であり、正多角形（好適）あるいは非正多角形でよい。そのような多角形が回転対称軸、好適には複数の鏡映対称線を有することが特に好適である。さらに好適には、機械読取装置によるさらに容易な識別を可能にするため、幾何形状部は少なくとも一つの内鈍角を有する。さらに好適には、幾何形状部は少なくとも５本の直線辺部を有する。
【００２５】
特に好適な幾何形状部は正十六角形であり、内角は１つ置きに鈍角である。このような形状は八頂点星形であるが、５個または６個のように他の頂点数の星形でもよい。
【００２６】
好適には、それぞれの幾何形状部の外面は実質的に平坦であり、及び／又はそれぞれの手掌部または指先内側部の表面と実質的に平行であり、それぞれの手掌部または指先内側部から盛り上がった高平部を形成する。幾何形状部の外面と手掌部または指先内側部との移行部は典型的には斜面であり、あるいは垂直面でもよい。
【００２７】
上記の幾何形状部のような機械読取可能な表示紋は、実施例によっては、実質的に手袋の手掌部や指先内側部（指の内側グリップ面）の全体を覆うことができる。さらに別の実施例では、機械読取表示紋は、本発明の手袋の全外側面を覆うことができる。
【００２８】
本発明による科学的犯罪捜査利用のための手袋の主要な目的ではないが、好適な幾何形状部が手袋のグリップ面に提供されると、それらは、上述のごとき犯罪現場での機械識別可能な圧痕を提供することに加え、増強されたグリップも提供する。
【００２９】
本発明にしたがって使用する手袋は、好適には０．１ｍｍから２５ｍｍの厚みを有する。手袋が好適な突起部を表面に有するとき、そのような突起部は好適には約４０μｍの高さで手袋表面から盛り上がっている。
【００３０】
本発明にしたがって使用する手袋は、好適には１回以上の浸漬工程で形成され、その全面に微小孔、縫い目、または他の不連続部を有することなく一体化された単一体を形成し、犯罪現場において、手袋を着用する人物の皮膚による物品との接触を防止する効果的なバリアを提供する。
【００３１】
本発明はさらに、本発明にしたがって使用する手袋の製造方法を含む。この方法は機械読取可能な表示紋を手袋の少なくとも手掌部と指先内側部とに提供し、続いて油性材料層を提供することを含む。
【００３２】
好適実施形態では、油性材料層を有した手袋は以下の手順で製造される：
（ａ）エラストマー（ラテックス等）またはポリマー材料を含んだプラスチゾルを、複数の窪部を備えた表面に提供された手型成型体に供給し、そのような窪部は、上述の突起部とそれぞれ相補形状的な幾何形状部であり、それらの窪部は成型体の少なくとも手掌部と指先内側部とを覆う；
（ｂ）ポリマー材料を硬化する；
（ｃ）成形された手袋形状体を成型体から外す；および
（ｄ）油性材料層を突起部に提供する。
【００３３】
一般的に、成型体からの手袋形状体の取り出しステップには手袋の裏返し工程が関与する。成型体に接触したラテックス表面は、着用されたときには手袋の外面になる。よって、得られる手袋は複数の突起部を手袋の少なくとも内側領域に有しており、突起部は、成型体の窪部の相補形状的な形状を有する。
【００３４】
本発明にしたがって使用する手袋の製造にエラストマーが使用されるときには、例えば、天然ゴムまたは合成ゴムが使用できる。合成ゴムの例には、ニトリルゴム、ネオプレンゴム、ポリイソプレン若しくはそれらの混合物またはそれらの共重合体が含まれる。エラストマーは、ポリウレタンまたはビニルエラストマー（塩化ビニル共重合体等）でもよい。本発明にしたがって使用する手袋を製造するのにプラスチゾルが使用されるときには、それは可塑化された塩化ビニルポリマー等でよい。
【００３５】
よく知られているように、エラストマー、ラテックスまたはプラスチゾルは、硫黄（硬化用または加硫用）、酸化亜鉛、有機促進剤、安定剤、ワックス、粘度調節剤、充填剤、顔料、可塑剤、等々の従来の添加物を含むことができる。
【００３６】
本発明にしたがって使用される手袋を形成する方法は、好適には、複数の窪部を有した手型成型体をラテックスまたはプラスチゾルに浸漬することで実行できる。それぞれの窪部は、上述のごとき突起部と相補形状的な幾何形状部であり、窪部は手型成型体の少なくとも手掌部と指先内側部とを覆っている。
【００３７】
成型体は当該産業分野で通常に採用されている好適材料で製造でき、例えば、セラミック、金属またはポリマー材料で製造できる。成型体は、一般的には成型体をラテックスに浸漬処理することによってエラストマーを適用する前に、一般的には、まず水ベースのポリマー状の凝固剤コーティングによって浸漬コーティングされる。
【００３８】
本発明にしたがって使用する手袋は、好適には手袋の同一バッチの中の１つである。同一バッチの手袋は前述の同一機械読取可能な表示紋を有している。もし、それぞれのバッチのそれぞれの手袋が同一の機械読取可能な表示紋を有するなら、犯罪現場がそのバッチからの手袋を着用した捜査官によってアクセスされたことを科学的犯罪捜査官に知らせる特定方法を提供することができる。
【００３９】
本発明はさらに犯罪現場を捜査する方法を提供する。犯罪現場捜査官は、犯罪現場で物品を取り扱うために本発明の手袋を着用する。その後に犯罪現場の物品は機械で読み取られ、犯罪現場捜査官の手袋によって付着された圧痕を特定する。したがって、捜査担当官により付着された圧痕は科学的犯罪捜査の対象から排除できる。
【００４０】
好適実施形態では、犯罪現場を捜査する方法は以下のステップを含む：
手袋が供給される。この手袋はそれぞれ機械読取可能な表示紋を有した外面を備えるポリマー材料製のユニット単位の使い捨て手袋である。表示紋は、手袋の少なくとも手掌部および指先内側部にそのような表示紋を備えた手袋を、そのような表示紋を備えていない手袋と識別させる；
続いて、犯罪現場捜査官が手袋を着用し、手袋を着用したまま犯罪現場で物品を取り扱う；
その後に、物品は犯罪現場で検査され、上述のステップで使用された犯罪現場捜査官の手袋の圧痕が識別される；および
最後に、上述のステップで識別された圧痕が排除される。
【００４１】
好適には、複数のこのような捜査官が同じ犯罪現場に存在するとき、それぞれの捜査官が両手に手袋を着用する。そのように着用される手袋は、上述ごとく本発明の手袋の同一バッチから選択される。そのようなバッチの手袋は、典型的にはそれぞれの捜査官のベルトまたは衣服の他の部分に着用された補給具に提供されている。
【図１】
2014058772.tif 000003
【図２】
2014058772.tif 000004
【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
犯罪現場での科学的犯罪捜査に使用するための手袋であって、
前記手袋は５本指を有するユニット単位の使い捨て手袋であり、
前記手袋の外面には表示紋が備えられており、
前記表示紋は、前記手袋の少なくとも手掌部（３）と指先内側部（１）とに配列されており、
前記表示紋は、機械読取によって、前記表示紋を備えた手袋を、前記表示紋を備えていない手袋と識別させることを可能にするものである、
手袋。
【請求項２】
前記表示紋の配列は、前記手袋の外面と一体となった複数の突起部を有しており、
前記突起部は全て、少なくとも３本の直線辺部を有した、全て同一サイズ及び同一形状の実質的に同一である機械読取可能な幾何形状部であり、
前記幾何形状部は、互いに間隔をあけて配置されるが、前記間隔は、そこにさらに別の前記幾何形状部を配置させるほど広くはなく、
前記幾何形状部は、前記手袋の少なくとも手掌部と各指先内側部とに所定の間隔をもって配置されるか、又は所定のパターンで配置されている、
請求項１に記載の手袋。
【請求項３】
前記幾何形状部は、回転対称軸を有する多角形、及び／又は、複数の鏡映対称線を有する多角形であり、
前記多角形は、少なくとも一つの内鈍角、及び／又は、少なくとも５本の直線辺部を有している、
請求項２に記載の手袋。